(57)【要約】【課題】間接活線作業を行う際に、防護すべき電線を適切に防護できる電線防護シートを提供すること。【解決手段】シート状部材１２は、２つ折りの折り線１１の伸長方向に折り込まれて蛇腹状とされた折り込み部１２ａを有し、挟み式クリップ１４は、シート状部材１２の両側端部にそれぞれ配置され、これらの挟み式クリップ１４の挟み部１７ａ、１７ｂの先端は、シート状部材１２の外表面でかつ２つ折りの解放端寄り位置の近傍にそれぞれ固着することで取り付けられる。挟み部１７ａ、１７ｂのアーム長は、折り線１１から固着した部分までの長さよりも長い。挟み式クリップ１４の挟み部１７ａ、１７ｂを開状態とするとシート状部材１２の２つ折りの解放端が開口して電線に取り付け可能となり、この状態で、一対の挟み式クリップ１４、１４により折り込み部１２ａの長さを調整して、シート状部材１２を防護すべき電線の長さに合わせた。【選択図】図１
2012161196.tif 000002
【特許請求の範囲】
【請求項１】
間接活線作業中に充電中の電線を２つ折りにした絶縁性のシート状部材内に納め外側から挟み式クリップで留めて防護する電線防護シートにおいて、
前記シート状部材は、前記２つ折りの折り線伸長方向に折り込まれて蛇腹状とされた折り込み部を１又は２以上有し、
前記挟み式クリップは、前記シート状部材の両側端部にそれぞれ配置され、これらの挟み式クリップの挟み部の先端は、前記シート状部材の外表面でかつ前記２つ折りの解放端寄り位置の近傍にそれぞれ固着することで取り付けられ、前記挟み部のアーム長が前記折り線から前記固着した部分までの長さよりも長いことを特徴とする電線防護シート。
【請求項２】
前記挟み式クリップは、前記挟み部がそれぞれ二股に形成されたことを特徴とする請求項１に記載の電線防護シート。
【請求項３】
前記挟み式クリップの挟み部は、前記アームの中間がそれぞれ外側に湾曲していることを特徴とする請求項１又は２の何れか１項に記載の電線防護シート。
【発明の詳細な説明】
【技術分野】
【０００１】
本発明は、間接活線作業を行う際に、電線の充電部分を防護する電線防護シートに関する。
【背景技術】
【０００２】
高圧配電線路の間接活線工事を行う際に、充電されている電線を防護シートで覆い防護する必要がある。図５は、この電線防護シートにより電線を防護している様子を示した説明図である。電線が電柱（図示していない）の高圧引き留めガイシ８０で引き留められてジャンパ線６４を形成している部分に、電線防護シート６０を取り付けた様子を示している。なお、ジャンパ線６４は、途中で高圧ピンガイシ８４に留められており、高圧引き留めガイシ８０及び高圧ピンガイシ８４は電柱の腕金８２に取り付けられている。
【０００３】
電線防護シート６０は、絶縁性のシート状部材６２と挟み式クリップ５０とを有する。シート状部材６２は２つ折りにされ、その内部にジャンパ線６４が納められ、シート状部材６２の外側から挟み式クリップ５０によりジャンパ線６４に留められている。また、シート状部材６２の外側であって、シート状部材６２の２つ折りの折り線に略平行でかつ、２つ折りの解放端寄り位置近傍に棒状体６８が配置されている。この棒状体６８は、挟み式クリップ５０の挟み部５４ａの先端に形成された穴部５５ａに挿通されている。
【０００４】
この構成により、挟み式クリップ５０は、棒状体６８に沿って動き、電線防護シート６０をジャンパ線６４に取り付ける際に、挟み式クリップ５０のクリップする場所を適切に選ぶことができる。
【０００５】
この挟み式クリップ５０のジャンパ線６４への取り付けは、挟着具（ヤットコ等、図示していない）により挟み式クリップ５０の掴み部５２ａ、５２ｂを挟持して挟み部５４ａ、５４ｂを開き、これによりシート状部材６２の解放端を開いて行われる。図示したように、ジャンパ線６４はシート状部材６２の長さ分だけ防護されており、シート状部材６２からはみ出したジャンパ線６４ａは防護されないこととなる。
【０００６】
なお、特許文献１には、図５に示した電線防護シートに類似した構成が開示されている。この特許文献１に開示されている電線防護シートのクリップ装置は、構成及び動作等が図５に示した電線防護シートと基本的に略同一である。すなわち、クリップ装置の操作部（掴み部）を閉動作させると、把持部（挟み部）が開く構成になっており、この把持部の間に電線を防護する電線防護シートが２つ折りにされ、補強シートと共に配置されている。また、把持部の先端には棒状体が挿通される挿通孔が形成され、電線防護シートに沿って棒状体が配される構成になっている。この棒状体により電線防護シートの電線への取り付けを確実なものとしている。
【先行技術文献】
【特許文献】
【０００７】
【特許文献１】特開２００９−２０７２８０号公報
【発明の概要】
【発明が解決しようとする課題】
【０００８】
背景技術で示した電線防護シートにおいて、電線（ジャンパ線）６４は、電線を防護するシート状部材６２の長さ分しか防護できない。すなわち、防護すべき電線（ジャンパ線）６４の長さがシート状部材６２の長さよりも長い場合には、防護されない電線部分６４ａが発生し、その部分が露出することとなる。この場合には、複数台の電線防護シート６０を取り付けることが必要となる。また、シート状部材６２の長さが電線（ジャンパ線）６４の長さよりも長い場合には、余ったシート状部材６２が電線以外の部分にはみ出し、作業の邪魔になる場合がある。更に、棒状体６８が取り付けられているので、防護すべき電線６４が曲がっている場合には、シート状部材６２の２つ折りの解放端が開口し、作業に支障をきたす恐れや挟み式クリップ５０が外れ易いといった問題があった。なお、特許文献１で開示されている構成においても、前述したように構成が類似しているので、上記と同様の課題を有している。
【０００９】
本発明は、上記課題に鑑みてなされたものであり、その目的は、間接活線作業を行う際に、防護すべき電線を適切に防護できる電線防護シートを提供することにある。
【課題を解決するための手段】
【００１０】
上記目的を達成するため、請求項１に記載の電線防護装置は、
間接活線作業中に充電中の電線を２つ折りにした絶縁性のシート状部材内に納め外側から挟み式クリップで留めて防護する電線防護シートにおいて、前記シート状部材は、前記２つ折りの折り線伸長方向に折り込まれて蛇腹状とされた折り込み部を１又は２以上有し、前記挟み式クリップは、前記シート状部材の両側端部にそれぞれ配置され、これらの挟み式クリップの挟み部の先端は、前記シート状部材の外表面でかつ前記２つ折りの解放端寄り位置の近傍にそれぞれ固着することで取り付けられ、前記挟み部のアーム長が前記折り線から前記固着した部分までの長さよりも長いことを特徴とする。
【００１１】
この構成により、電線防護シートを防護すべき電線へ取り付ける際に、シート状部材の両側端部に取り付けられた挟み式クリップをそれぞれ反対方向に移動させ、折り込み部の長さを変えることで、シート状部材の全体の長さを防護すべき電線の長さに合わせることができる。すなわち、防護すべき電線の長さに応じてシート状部材の長さを種々調整することが可能である。したがって、電線が防護されない部分をなくすことができ、またシート状部材が有り余ってガイシ等の部分にはみ出すこともない。更に、防護すべき電線が曲がっていてもシート状部材が電線の曲がりに沿って配されるので、シート状部材の２つ折りの解放端が開口し、作業に支障をきたす恐れを防止することができる。
【００１２】
請求項２に記載の電線防護装置は、請求項１に記載の電線防護装置において、
前記挟み式クリップは、前記挟み部がそれぞれ二股に形成されたことを特徴とする。したがって、挟み式クリップとシート状部材の固着が、両側端部のそれぞれ４か所で行われることから、シート状部材の長さ調整の際にシート状部材に印加される引っ張り力を分散させることができる。したがって、シート状部材の長さ調整を容易に行うことができ、かつ繰り返し使用にも耐えることとなる。
【００１３】
請求項３に記載の電線防護装置は、請求項１又は２の何れか１項に記載の電線防護装置において、
前記挟み式クリップは、前記アームの中間がそれぞれ外側に湾曲していることを特徴とする。したがって、挟み部は電線を挟持しないので、シート状部材を電線に取り付けた後で、挟み式クリップを回転させ、シート状部材の取り付け姿態を容易に変えることができる。また、防護すべき電線が曲がっていてもその曲りを吸収することができる。したがって、電線防護シートの電線への取り付けを一層適切に行うことができる。
【発明の効果】
【００１４】
本発明の電線防護シートによれば、取り付けの際に、シート状部材に形成した蛇腹状の折り込み部の長さを変えることで、シート状部材の全体の長さを防護すべき電線に合わせることができるので、未防護の電線部分は発生せず、その未防護電線部分が露出することはない。また、余ったシート状部材が電線以外の部分にはみ出すこともない。したがって、防護すべき電線を適切に防護することができ、その後の間接活線作業を安心して行うことができる。
【図面の簡単な説明】
【００１５】
【図１】本発明の電線防護シートの概略斜視図である。ただし、シート状部材は閉じている状態を示す。
【図２】図１の電線防護シートの概略側面図である。ただし、シート状部材は開いている状態を示す。
【図３】図１の電線防護シートの概略側面図である。ただし、シート状部材は閉じている状態を示す。
【図４】図１の電線防護シートを電線に取り付けた状態の概略斜視図である。
【図５】従来の電線防護シートを電線に取り付けた状態の概略斜視図である。
【発明を実施するための形態】
【００１６】
以下、本発明の電線防護シートの実施の形態を、図面を参照しつつ詳述する。図１は、電線防護シートの概略斜視図、図２は、図１の電線防護シートの概略側面図、図３は、図１の電線防護シートの挟み式クリップを開いた状態の概略側面図を示す。ここで、側面とは、電線に電線防護シートを取り付けた時に電線を横方向に切断する面を意味する。
【００１７】
本実施の形態の電線防護シート１０は、シート状部材１２と挟み式クリップ１４を有する。シート状部材１２は、絶縁性のシート状部材を２つ折りにし、折り線１１の伸長方向に折り込んで蛇腹状とされた折り込み部１２ａを有している。折り込み部１２ａを形成することで、シート状部材１２の折り線１１方向の全体の長さが短縮された状態になっており、電線を防護する際に、この折り込み部１２ａの長さを調整して、全体の長さを防護すべき電線の長さに合わせることが可能である。シート状部材１２は、樹脂性、ゴム製等、絶縁性のものであれば何れでも構わないが、上記のように折り込んだ場合に、その折り込んだ形状が保たれることが必要である。なお、図１の実施の形態では折り込み部１２ａは１つだけ形成しているが、必要に応じて２以上形成しても良い。
【００１８】
挟み式クリップ１４は、一対の挟み部１７ａ、１７ｂと一対の掴み部１６ａ、１６ｂとがヒンジピン１９により軸支され、リングばね１８により挟み部１７ａ、１７ｂが常態で閉状態となるように付勢されている。一対の挟み部１７ａ、１７ｂは、それぞれが二股に形成され、挟み部１７ａ-１、１７ａ−２、１７ｂ−１、１７ｂ−２を構成している。挟み式クリップ１４は、シート状部材１２の両側端部にそれぞれ配置される。そして、挟み式クリップ１４の挟み部の先端は、シート状部材１２の外表面でかつ２つ折りの解放端寄り位置の近傍にそれぞれ固着されている。挟み部１７ａ、１７ｂのアームの長さは、シート状部材１２の折り線１１から上記の固着した部分までの長さよりも、長くなるように構成されている。
【００１９】
一対の掴み部１６ａ、１６ｂを、リングばね１８の付勢力に抗して閉じた状態にすると、一対の挟み部１７ａ、１７ｂが開状態となり、シート状部材１２の２つ折りの解放端が開口する。図２は、シート状部材が開状態になっている電線防護シート１０の概略側面図であり、図３は、シート状部材が閉状態となっている電線防護シートの概略側面図である。シート状部材１２は、挟み部１７ａ、１７ｂのアームの長さが、シート状部材１２の折り線１１から固着した部分までの長さよりも長いので、シート状部材１２を挟み部１７ａ、１７ｂの間に適切に収容することができる。シート状部材１２が開状態となっている場合、シート状部材１２の折り角が略９０度になるので、防護すべき電線６４にシート状部材１２を容易に被せることが可能である。
【００２０】
また、図３に示すように、一対の挟み部１７ａ、１７ｂが閉じた状態で電線防護シート１０を側方から見ると、一対の挟み部１７ａ、１７ｂのアームの中間部２２ａ、２２ｂが外方向に湾曲しており、側面視で、挟み部１７ａ、１７ｂの先端固定部２０ａ、２０ｂと軸支部分２０との間に略楕円形状の矢印Ｂで示す空間が形成される。この空間Ｂ内に電線６４が位置する。したがって、挟み部１７ａ、１７ｂは電線６４を挟んでいないので、電線６４に電線防護シート１０を取り付けた後に、シート状部材１２の取り付け姿態を変え、一対の掴み部１６ａ、１６ｂを作業の邪魔にならない位置に変更することができる。また、電線６４が曲がっていた場合に、その曲りに沿ってシート状部材１２を沿わせることができることに加え、電線６４を掴み部１７ａ、１７ｂが挟んでいないことから、シート状部材１２の２つ折り解放端が開口する恐れもない。したがって、電線６４を適切に防護することが可能であり、その後の間接活線作業を安心して行うことが可能である。
【００２１】
更に、挟み式クリップ１４は、前述したように、一対の挟み部１７ａ、１７ｂはそれぞれが二股に形成され、その先端部がシート状部材１２の両側端部でかつ２つ折りの解放端寄り位置近傍にそれぞれ固定されるが、一対の挟み部１７ａ、１７ｂはそれぞれが二股に形成されているので、シート状部材１２と挟み式クリップ１４は、１つのクリップ１４に対して４つの先端固定部２０ａ−１、２０ａ−２、２０ｂ−１、２０ｂ−２により固着されることとなる。したがって、挟み式クリップ１４とシート状部材１２の固着がより確実になると共に、シート状部材１２の長さ調整の際にシート状部材１２に印加される引っ張り力を分散させることができる。したがって、シート状部材１２の長さ調整を容易に行うことができ、かつ繰り返し使用にも耐えることとなる。
【００２２】
図４は、図１の電線防護シート１０を電線（ジャンパ線）６４に取り付けた様子を示す概略斜視図である。電線防護シート１０の電線（ジャンパ線）６４への取り付けは、ヤットコ等によりシート状部材１２の両側端部に位置する挟み式クリップ１４をそれぞれ挟持して挟み部１７ａ、１７ｂを開状態としてシート状部材１２の２つ折り解放端を開口させる。開口されたシート状部材１２を防護すべき電線６４に被せ、一対の挟み式クリップ１４、１４を電線６４の延在方向でそれぞれ反対方向に移動させ、シート状部材１２の折り込み部１２ａの長さを調整し、全体の長さを電線６４の長さに一致させる。その後、挟み式クリップ１４の一対の掴み部１６ａ、１６ｂを閉じることで取り付けが完了する。
【００２３】
図４に示したように、シート状部材１２の長さと防護すべき電線（ジャンパ線）６４の長さはちょうど一致している。更に、電線（ジャンパ線）６４が曲がっていても、シート状部材１２に棒状体等が装着されていないので、その電線６４の曲りに沿って取り付けられるので、電線６４を確実に防護することができる。また、挟み式クリップ１４は電線６４を挟まず、挟み部１７ａ、１７ｂの先端部と軸支部分２０との間に略楕円形状の空間が形成されるので、電線防護シート１０を電線６４に取り付けた後に取り付け姿勢を変えて、挟み式クリップ１４が作業の邪魔にならないように位置を変更することができる。なお、一対の挟み式クリップ１４、１４の間で、シート状部材１２の中間を電線６４に更に抑える必要がある場合には、同種の挟み式クリップを用いることができる。この作業は、電線防護シート１０を電線６４に取り付けた後に、ヤットコ等により容易に行うことが可能である。
【００２４】
本発明の実施の形態の電線防護シート１０によれば、電線を防護する絶縁性のシート状部材１２は、２つ折りの折り線伸長方向に折り込まれて蛇腹状とされた折り込み部を有するので、シート状部材１２の長さを防護すべき電線６４の長さに調整することができる。したがって、未防護の電線６４部分が露出することがなく、電線６４を適切に防護することが可能であり、その後の間接活線作業を安全に行うことができる。
【００２５】
なお、本発明は、上述の形態に限定されるものではなく、本発明の趣旨を逸脱しない範囲で種々の変更が可能である。例えば、電線防護シート１２の蛇腹状の折り込み部１２ａは１つの場合について示したが、２つ以上であっても良い。また、挟み式クリップの付勢手段としてリングばねを例示したが、その他の構成であっても良い。
【符号の説明】
【００２６】
１０  電線防護シート
１１  折り線
１２  シート状部材
１２ａ  折り込み部
１４  挟み式クリップ
１６ａ、１６ｂ  掴み部
１７ａ、１７ｂ  挟み部
１８  リングばね
１９  ヒンジピン
５０  電線防護シート
６０  クリップ
６２  絶縁シート
６４  電線（ジャンパ線）
８０  引き留めガイシ
【図１】
2012161196.tif 000003
【図２】
2012161196.tif 000004
【図３】
2012161196.tif 000005
【図４】
2012161196.tif 000006
【図５】
2012161196.tif 000007